(57)【要約】【課題】遊技釘が遊技盤に植設されたままの状態においても、遊技盤の清掃が容易な遊技機を提供する。【解決手段】本発明に係る遊技機は、遊技釘８０が植設された第１の板状部材４０、および第１の板状部材４０と対向するとともに当該第１の板状部材４０と相対的に接近離反可能に配置された第２の板状部材５０を有する遊技盤２と、第２の板状部材５０における第１の板状部材４０に植設された遊技釘８０の位置に形成され、遊技釘８０の胴部８１の径よりも大きく当該遊技釘８０の頭部８２の径よりも小さな径からなる貫通孔５１とを有し、遊技釘８０は、頭部８２が第２の板状部材５０における第１の板状部材４０と反対側に突出するとともに、胴部８１が第２の板状部材５０の貫通孔５１を貫通して第１の板状部材４０に植設されることを特徴とする。【選択図】図９
2008043410.tif 000002
【特許請求の範囲】
【請求項１】
前記遊技釘が植設された第１の板状部材、および前記第１の板状部材と対向するとともに当該第１の板状部材と相対的に接近離反可能に配置された第２の板状部材を有する遊技盤と、
前記第２の板状部材における前記第１の板状部材に植設された遊技釘の位置に形成され、前記遊技釘の胴部の径よりも大きく当該遊技釘の頭部の径よりも小さな径からなる貫通孔とを有し、
前記遊技釘は、前記頭部が前記第２の板状部材における前記第１の板状部材と反対側に突出するとともに、前記胴部が前記第２の板状部材の前記貫通孔を貫通して前記第１の板状部材に植設される、
ことを特徴とする遊技機。
【請求項２】
前記第２の板状部材は、前記遊技釘の頭部と当接する位置にまで前記第１の板状部材と離反可能である、
ことを特徴とする請求項１記載の遊技機。
【請求項３】
前記第２の板状部材は、前記遊技釘の頭部と当接する位置に、当該頭部を収容可能な凹部が形成された、
ことを特徴とする請求項１または２に記載の遊技機。
【請求項４】
前記第１の板状部材は、遊技領域を区画するとともに、発射された遊技球を当該遊技領域に誘導するガイドレールを有し、
前記第２の板状部材は、前記ガイドレールに区画された遊技領域内に配置される、
ことを特徴とする請求項１〜３の何れか一項に記載の遊技機。
【請求項５】
前記第１の板状部材および前記第２の板状部材の何れか一方の板状部材には、他方の板状部材を係止する係止部が設けられ、
前記他方の板状部材は、前記係止部に係止されることによって前記一方の板状部材と固定され、当該係止が解除されることによって前記一方の板状部材に対して離反可能となる、
ことを特徴とする請求項１〜４の何れか一項に記載の遊技機。
【発明の詳細な説明】
【技術分野】
【０００１】
本発明は、遊技機に関し、特に、遊技釘等が植設された遊技盤を有する遊技機に関する。
【背景技術】
【０００２】
パチンコ遊技機の遊技盤には、表面に、遊技球の流下方向に変化を与える機能を持つ遊技部材として、遊技釘が設けられている。
【０００３】
この遊技釘は、その一部を遊技盤に設けられた穴に打ち込むことによって、当該遊技盤に植設される。また、遊技釘が遊技盤に植設されると、当該遊技釘の長さ部分の約３割が穴に入った状態となり、約７割が遊技盤から突出した状態となる。
【０００４】
しかしながら、遊技盤は、遊技中の遊技球の流下等により、埃や、油等の付着による汚れが時間経過とともに顕著になる。そのため定期的に清掃を行なう必要があるが、遊技盤には前述の状態で遊技釘が植設されており、この遊技釘の突出した部分が、清掃を行なう際の障害になっていた。
【０００５】
そこで、遊技盤における遊技部材の着脱を容易にし、当該遊技部材自体の清掃を簡単に行なうことが可能な遊技機も登場している（例えば、特許文献１および２参照）。
【特許文献１】特開２００３−２９０４５８号公報
【特許文献２】特開２００５−１３０９３６号公報
【発明の開示】
【発明が解決しようとする課題】
【０００６】
しかしながら、たとえ特許文献１，２の技術を用いたとしても、遊技盤に直接打ち込まれている遊技釘だけは、他の板状部材のように簡単に取り外すことができないため、遊技盤の清掃を行う際の障害を完全に取り除くことはできなかった。
【０００７】
そこで、本発明は、遊技釘が遊技盤に植設されたままの状態においても、遊技盤の清掃が容易な遊技機を提供することを目的とする。
【課題を解決するための手段】
【０００８】
上記課題を解決するため、請求項１に記載の本発明の遊技機は、遊技釘（遊技釘８０）が植設された第１の板状部材（第１の板状部材４０）、および第１の板状部材と対向するとともに当該第１の板状部材と相対的に接近離反可能に配置された第２の板状部材（第２の板状部材５０）を有する遊技盤（遊技盤２）と、第２の板状部材における第１の板状部材に植設された遊技釘の位置に形成され、遊技釘の胴部（胴部８１）の径よりも大きく当該遊技釘の頭部（頭部８２）の径よりも小さな径からなる貫通孔（貫通孔５１）とを有し、遊技釘は、頭部が第２の板状部材における第１の板状部材と反対側に突出するとともに、胴部が第２の板状部材の貫通孔を貫通して第１の板状部材に植設されることを特徴とする。
【０００９】
本構成によれば、遊技釘は、頭部が第２の板状部材における第１の板状部材と反対側に突出するとともに、胴部が第２の板状部材の貫通孔を貫通して第１の板状部材に植設されるようになっているので、たとえば、第２の板状部材を、第１の板状部材とは反対方向に移動させることによって、第２の板状部材を介して第１の板状部材に植設された遊技釘のうち、第２の板状部材から突出する部分を少なくすることができる。
【００１０】
これによれば、遊技盤を清掃する際に邪魔になっていた遊技釘の突出部分を少なくすることができるので、遊技釘が遊技盤に植設されたままの状態においても、第２の板状部材の表面側を清掃する作業、すなわち、遊技盤を清掃する作業が容易となる。
【００１１】
また、第２の板状部材における貫通孔は、遊技釘の頭部の径よりも小さな径であるため、当該頭部によって第２の板状部材の移動が規制される。これにより、第２の板状部材を、第１の板状部材とは反対方向に移動させた場合において、当該第２の板状部材が、遊技釘から外れてしまう虞を防ぐことができる。
【００１２】
請求項２に記載の本発明は、請求項１に記載の発明の構成に加えて、第２の板状部材は、遊技釘の頭部と当接する位置にまで第１の板状部材と離反可能であることを特徴とする。
【００１３】
本構成によれば、第２の板状部材は、遊技釘の頭部と当接する位置にまで第１の板状部材と離反可能であるため、当該第２の板状部材を、遊技釘の頭部まで、すなわち、遊技釘の突出部分がギリギリまで減少する位置まで移動させることが可能となる。
【００１４】
これによれば、遊技盤を清掃する際に邪魔になっていた遊技釘の突出部分をより少なくすることができるので、遊技釘が遊技盤に植設されたままの状態においても、第２の板状部材の表面側を清掃する作業、すなわち、遊技盤を清掃する作業がより容易となる。
【００１５】
請求項３に記載の本発明は、請求項１または２に記載の発明の構成に加えて、第２の板状部材は、遊技釘の頭部と当接する位置に、当該頭部を収容可能な凹部（凹部１１０）みが形成されたことを特徴とする。
【００１６】
本構成によれば、第２の板状部材には、遊技釘の頭部が当接する位置に、当該頭部を収容可能な凹部が形成されているので、当該第２の板状部材を、遊技釘の頭部に当接するまで移動させた場合、遊技釘の頭部が当該凹部に収容される。
【００１７】
これによれば、遊技釘の突出部分をほぼ無くすことができるので、遊技釘が遊技盤に植設されたままの状態においても、第２の板状部材の表面側を清掃する作業、すなわち、遊技盤を清掃する作業がより容易となる。
【００１８】
請求項４に記載の本発明は、請求項１〜３の何れか一項に記載の発明の構成に加えて、第１の板状部材は、遊技領域（遊技領域２ａ）を区画するとともに、発射された遊技球を当該遊技領域に誘導するガイドレール（ガイドレール６）を有し、第２の板状部材は、ガイドレールに区画された遊技領域内に配置されることを特徴とする。
【００１９】
本構成によれば、第２の板状部材は、ガイドレールに区画された遊技領域内に配置されているので、第１の板状部材の表面側全域を覆うように配置されている場合に比べて、清掃する面積を少なくすることができ、第２の板状部材の清掃をより容易に行うことができる。
【００２０】
また、清掃される第２の板状部材は、汚れが付着し易い遊技領域内に配置されているので、当該第２の板状部材を清掃することで、汚れが付着し易い遊技領域内を効率的に清掃することが可能となる。
【００２１】
さらに、本発明によれば、第２の板状部材が、第１の板状部材の表面側全域を覆うように配置されている場合に必要な端部固定部材、すなわち、第１の板状部材の端部と第２の板状部材の端部とを固定する部材を備える必要がない。
【００２２】
これによれば、当該端部固定部材を配置するスペースを節約することができるとともに、遊技盤の清掃の際に、当該端部固定部材の固定を解除することなく、第１の板状部材と第２の板状部材とを離反させることができるので、第２の板状部材の表面側を清掃する作業、すなわち、遊技盤を清掃する作業がより容易となる。
【００２３】
請求項５に記載の本発明は、請求項１〜４の何れか一項に記載の発明の構成に加えて、第１の板状部材および第２の板状部材の何れか一方の板状部材には、他方の板状部材を係止する係止部（係止板４３）が設けられ、他方の板状部材は、係止部に係止されることによって一方の板状部材と固定され、当該係止が解除されることによって一方の板状部材に対して離反可能となることを特徴とする。
【００２４】
本構成によれば、第２の板状部材は、係止部の係止を解除するのみで、第１の板状部材と離反可能となるので、第１の板状部材と第２の板状部材とを離反させる作業がより容易となり、第２の板状部材の表面側を清掃する作業、すなわち、遊技盤を清掃する作業がより容易となる。
【発明の効果】
【００２５】
本発明によれば以下の効果を奏することができる。
【００２６】
すなわち、本発明によれば、遊技釘が遊技盤に植設されたままの状態においても、遊技盤の清掃が容易な遊技機を提供することが可能となる。
【発明を実施するための最良の形態】
【００２７】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２８】
（実施の形態１）
【００２９】
図１は実施の形態１に係る遊技機を示す斜視図、図２は図１に示した遊技機の分解斜視図、図３は図２に示した遊技盤の拡大斜視図、図４は図３に示した遊技盤から遊技部材を取り除いた状態を示す拡大斜視図、図５は第１の板状部材および第２の板状部材からなる遊技盤の分解斜視図、図６、第１の板状部材と第２の板状部材との係止態様を示す斜視説明図、図７は第２の板状部材を第１の板状部材に係止させる順序の前段を図４に示す遊技盤のＡ−Ａ方向から示す断面図、図８は第２の板状部材を第１の板状部材に係止させる順序の後段を図４に示す遊技盤のＡ−Ａ方向から示す断面図、図９は第１の板状部材に遊技釘を植設させた状態を図４に示す遊技盤のＡ−Ａ方向から示す断面図、図１０は第２の板状部材と第１の板状部材との係止を解除させる順序を図４に示す遊技盤のＡ−Ａ方向から示す断面図、図１１は第１の板状部材に遊技釘を植設させる順序を図４に示す遊技盤のＢ−Ｂ方向から示す断面図、図１２は第２の板状部材を第１の板状部材から離反させる順序を図４に示す遊技盤のＢ−Ｂ方向から示す断面図である。
【００３０】
図１および図２に示すように、パチンコ遊技機（遊技機）１は、遊技盤２（図２）が装着されるとともに、前面に開口３ａａが形成された本体枠３ａと、その本体枠３ａにおける開口３ａａの内部に配設される各種の部品と、遊技盤２の前面側を視認可能に被うガラス板４ａが嵌め込まれたガラス扉４と、本体枠３ａの後方に配置され、島設備に固定される外枠３ｂとから構成されている。
【００３１】
なお、本体枠３ａは、その一方端が、ヒンジ（図示せず）を介して外枠３ｂに回動可能に取り付けられるようになっており、これら本体枠３ａおよび外枠３ｂで遊技機本体３が構成されている。そして、このような遊技機本体３の本体枠３ａの前面には、スピーカ８ａ，８ｂ、上述したガラス扉４、皿ユニット５、および発射ハンドル７が配設されている。
【００３２】
これらガラス扉４および皿ユニット５は、その一端が遊技機本体３に回動可能に軸支されており、他端が遊技機本体３に係合するようになっている。これにより、通常、ガラス扉４は遊技盤２の前面（主面）に対面閉鎖した状態で遊技が行われる。
【００３３】
本体枠３ａの開口３ａａの内部には、後述するように、演出画像（例えば、遊技状態に対応したアニメーションやその他の報知情報など）等を表示可能な表示領域２１ａを有する液晶表示装置２１、スペーサ１０、遊技盤２等が配設されている。なお、遊技盤２、スペーサ１０、液晶表示装置２１以外の各種の部品（図示せず）については、理解を容易にするために説明を省略する。
【００３４】
スペーサ１０は、遊技盤２の後方（背面側）に配設されるとともに、液晶表示装置（表示装置）２１の前方（前面側）に配設される。つまり、スペーサ１０は、遊技盤２と液晶表示装置２１によって扶持される。このスペーサ１０は、透光性を有した部材で形成されており、中央に大きな貫通孔１０ａが設けられている。そして、スペーサ１０は、貫通孔１０ａに、遊技に関する所定の情報を報知する電飾ユニット２６等が納められるような厚みを提供する。
【００３５】
また、スペーサ１０の背面には、上述した液晶表示装置２１が配置されている。なお、液晶表示装置２１の表示領域２１ａは、所定の演出画像（例えば、装飾図柄が変動表示する演出画像等）を表示する領域である。
【００３６】
また、遊技盤２およびスペーサ１０が透光性を有した部材で形成された本実施の形態では、液晶表示装置２１の表示領域２１ａが遊技盤２およびスペーサ１０を通して視認可能に配置されている。ここで、液晶表示装置２１にかえて、例えばＣＲＴ（陰極線管）あるいはプラズマディスプレイ等を用いることもできる。
【００３７】
ガラス扉４の下方には、図１に示すように皿ユニット５が配置されている。皿ユニット５の上部に、払い出された遊技球および遊技領域２ａに打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー８が設けられている。
【００３８】
下皿５ｂの右側には、ガイドレール６を介して遊技領域２ａへ遊技球を発射する際に回動操作される発射ハンドル７が設けられている。発射ハンドル７には遊技球の発射を停止するストップボタン（図示せず）が設けられている。
【００３９】
そして、遊技者が上記発射ハンドル７を回動して打ち出し操作をすることにより、上皿５ａ中の遊技球が、発射球供給装置（図示せず）により本体枠３ａの背面に配設された発射装置（図示せず）に供給されて、当該発射装置によりガイドレール６に沿って遊技領域２ａに発射される。
【００４０】
なお、ガラス扉４の上部の左右には、スピーカ８ａ，８ｂがそれぞれ配置されている。
【００４１】
遊技盤２は、第１の板状部材４０と、当該第１の板状部材４０の前面側に配置される第２の板状部材５０とから構成されており（図３乃至図５）、これら第１の板状部材４０および第２の板状部材５０は、光を透過する透光性を有する板形状の樹脂（透光性を有する部材）によって形成されている。この透光性を有する部材としては、例えば、アクリル樹脂、ポリカーボネート樹脂、メタクリル樹脂など各種の材質が該当する。
【００４２】
第１の板状部材４０は、遊技盤２における土台部分を形成する板状の部材であり、その前面側の中央に、後述する第２の板状部材５０を嵌め込むことが可能な円盤状の陥没穴４０ａを有している（図５参照）。
【００４３】
この陥没穴４０ａの周囲には、後述する発射ハンドル７の回動操作によって発射された遊技球を当該遊技領域２ａに誘導するガイドレール６が配置されており、そして、陥没穴４０ａには、遊技釘８０が植設される植設穴４１が多数形成されている。さらに、陥没穴４０ａの上部および下部には、それぞれ陥没穴４０ａに嵌め込まれた第２の板状部材５０を係止させるための係止板（係止部）４３，４４（後述）が配置されている。
【００４４】
第２の板状部材５０は、円盤状を呈しており、第１の板状部材４０に形成された陥没穴４０ａに嵌め込まれることによって、第１の板状部材４０の前面側に、当該第１の板状部材４０と対向して配置される（図５、図１１参照）。
【００４５】
また、第２の板状部材５０は、第１の板状部材５０に植設された遊技釘８０の位置、すなわち、上記植設穴４１と対向する位置に、第２の板状部材５０の表面５０ａ側から裏面５０ｂ側へと貫通する貫通孔５１が形成されている（図５参照）。
【００４６】
この貫通孔５１は、遊技釘８０の胴部８１の径よりも大きく当該遊技釘８０の頭部８２の径よりも小さな径からなっており、遊技釘８０は、この貫通孔５１を介して、植設穴４１に植設される（図９および図１１参照）。
【００４７】
さらに、第２の板状部材５０の裏面５０ｂ側において、第１の板状部材４０における係止板４３，４４にそれぞれ対向する位置には、当該係止板４３，４４に係止されるばねピン５５（後述）がそれぞれ配置されている。
【００４８】
また、第２の板状部材５０は、第１の板状部材４０に配置されたガイドレール６（図３乃至図５）に区画された遊技領域２ａ内に配置されている。遊技領域２ａは、発射ハンドル７の回動操作によって発射された遊技球の転勤流下が可能な領域である。
【００４９】
遊技領域２ａは、図２乃至図５に示すように、ガイドレール６に区画されており、風車などの障害物（図示せず）や、誘導部材１３，１７、一般入賞装置１２、始動入賞装置１４、大入賞装置１５、アウト口１６などの遊技部材や、多数の遊技釘８０が配置されている。
【００５０】
ここで、一般入賞装置１２は、遊技球が入賞すると所定の数の遊技球が払い戻される装置、大入賞装置１５は、電飾ユニット２６における特別図柄や液晶表示装置２１における装飾図柄が、それぞれ予め設定された態様で停止し、そして、これに伴い特別遊技状態に移行した場合に開放状態となる装置である。
【００５１】
始動入賞装置１４は、遊技球を受け入れる受け入れ口を有しており、遊技球を受け入れ易い状態と、遊技球を受け入れ難い状態との間で切換可能な開閉機構を備えた装置である。この始動入賞装置１４は、通常の状態では遊技球を受け入れ難い状態となっており、所定の条件が成立した場合（例えば、電飾ユニット２６における普通図柄が、「当り」を意味する態様で停止した場合）に、所定時間（例えば、０．３秒間）だけ開いて遊技球を受け入れ易い状態に切り換えられる。
【００５２】
また、始動入賞装置１４は、受け入れ口に遊技球が受け入れられる（入賞する）と電飾ユニット２６における特別図柄や、液晶表示装置２１における装飾図柄が、それぞれ変動および停止する契機となる装置である。さらに、始動入賞装置１４に遊技球が入賞すると所定の数の遊技球が払い戻されるようになっている。
【００５３】
誘導部材１３および誘導部材１７は、遊技球の流下方向を大きく変化させるものである。そして、誘導部材１３は、遊技球が流下可能な遊技領域２ａの上方に設けられ、遊技盤２に対して直角に立設された壁体によって構成されている。また、誘導部材１７は、遊技領域２ａの下方に設けられ、遊技盤２の面に対して直角に立設された壁体によって構成されている。
【００５４】
一般入賞装置１２、大入賞装置１５、始動入賞装置１４、誘導部材１３，１７は、それぞれ第２の板状部材５０に形成された図示しない取付孔に着脱可能に嵌め込まれて取り付けられている。なお、一般入賞装置１２、大入賞装置１５、始動入賞装置１４、誘導部材１３，１７は、ねじ止めされることによって、第２の板状部材５０に固定されてもよい。
【００５５】
アウト口１６は、第１の板状部材４０において、遊技領域２ａの最下位置付近に位置するように設けられ、当該最下位置付近に流下してきた遊技球が入球するようになっている。
【００５６】
すなわち、アウト口１６は、一般入賞装置１２、大入賞装置１５、始動入賞装置１４の何れにも入賞しなかった遊技球が流入して回収される装置である。
【００５７】
次に、上述した第１の板状部材４０に第２の板状部材５０を係止させる技術について、図６乃至図８を用いて説明する。
【００５８】
図６は、係止板４３と、当該係止板４３に係止されるばねピン５３の係止態様を示している。なお、係止板４４は、係止板４３と同様の構成となっているため、説明を省略する。
【００５９】
図６に示すように、係止板４３は、陥没穴４０ａから突出して設けられており、その表面４３ａ側には、相互に平行になった２つの溝Ａ，Ｂと、各溝の両端同士を相互に連結するとともに、同方向（第１の板状部材４０方向）にＶ字型に屈曲した溝Ｃ，Ｄからなる溝カム４３ａａが形成されている。
【００６０】
ばねピン５３は、第２の板状部材５０の裏面５０ｂ側に配置された載置台５４の上面から突出して配置されており、第１の板状部材４０方向に屈曲自在に延びたばね部５３ｂと、当該ばね部５３ｂの先端から下方に突出した突起５３ａとを有している（図６乃至図１０参照）。
【００６１】
この突起５３ａの先端は、第２の板状部材５０が第１の板状部材４０の陥没穴４０ａに嵌め込まれた際に、上記溝カム４３ａａに挿入されるようになっており、この突起５３ａの先端が、溝Ｃの中心部（溝Ｅの位置）に到達した場合には、第２の板状部材５０が第１の板状部材４０に係止されて固定される。
【００６２】
ここで、第２の板状部材５０が第１の板状部材４０の陥没穴４０ａに嵌め込まれる際に、ばねピン５３における突起５３ａの先端が、溝カム４３ａａに挿入されるまでの順序について説明する。
【００６３】
まず、図７（ａ），（ｂ）に示すように、第２の板状部材５０を、その裏面５０ｂ側から第１の板状部材４０の陥没穴４０ａに嵌め込む。なお、突起５３ａは、上方に向けて傾斜して形成されており、当該突起５３ａが係止板４３に当接した状態で係止板４３方向への外力が加えられた場合には、当該突起５３ａが、上方に摺り動いて係止板４３の表面４３ａへと乗り上がる（図７（ｂ）参照）。そして、突起５３ａは、第２の板状部材５０がさらに第１の板状部材４０に接近することにより、溝カム４３ａａに挿入される。
【００６４】
次に、突起５３ａが溝カム４３ａａに挿入されたばねピン５３を、係止板４３に係止させるまでの順序について説明する。
【００６５】
まず、図８（ａ）に示すように、第２の板状部材５０を、溝カム４３ａａに挿入された突起５３ａが当該溝カム４３ａａの端部に当接するまで、第１の板状部材４０方向に押下する。この場合、溝カム４３ａａに挿入された突起５３ａは、溝Ａもしくは溝Ｂを、第１の板状部材４０方向へと摺動して、溝Ａもしくは溝Ｂのうち、第１の板状部材４０側の端部に到達する。
【００６６】
そして、この状態で、第２の板状部材５０の押下を終了させると、溝Ａもしくは溝Ｂの端部に位置する突起５３ａは、Ｖ字型に屈曲した溝Ｃを摺動して溝Ｅに到達する。これにより第２の板状部材５０が、第１の板状部材４０に係止されて固定される（図８（ｂ）参照）。
【００６７】
遊技釘８０は、図９および図１１（ｂ），（ｃ）に示すように、第２の板状部材５０における貫通孔５１を介して、植設穴４１に植設される。
【００６８】
この場合、遊技釘８０は、頭部８２が第２の板状部材５０における第１の板状部材４０と反対側（すなわち、遊技領域２ａ側）に突出するとともに、胴部８１の先端部分が第２の板状部材５０の貫通孔５１を貫通して第１の板状部材４０に植設される。
【００６９】
次に、係止板４３に係止されたばねピン５３の係止を解除する順序について説明する。
【００７０】
まず、図１０（ａ）に示すように、第２の板状部材５０を、溝カム４３ａａに挿入された突起５３ａが当該溝カム４３ａａの端部に当接するまで、第１の板状部材４０方向に押下する。この場合、溝Ｅに位置する突起５３ａは、Ｖ字型の溝Ｃの左側もしくは右側を、第１の板状部材４０方向へと摺動して、溝Ａもしくは溝Ｂのうち、第１の板状部材４０側の端部に到達する。
【００７１】
そして、この状態で、第２の板状部材５０の押下を終了させると、溝Ａもしくは溝Ｂの端部に位置する突起５３ａは、溝Ａもしくは溝Ｂを、第１板状部材４０とは反対方向に摺動して溝Ｄに到達する。これにより第２の板状部材５０と第１の板状部材４０との係止が解除され、第２の板状部材５０が第１の板状部材４０から離反する（図１０（ｂ）および図１２参照）。
【００７２】
この場合、第２の板状部材５０は、図１０（ｂ）および図１２に示すように、その表面５０ａ側が、遊技釘８０の頭部８２と当接する位置にまで移動する。
【００７３】
これによれば、第２の板状部材５０を介して第１の板状部材４０に植設された遊技釘８０のうち、第２の板状部材５０から突出する部分を少なくすることができるので、遊技盤２を清掃する際に邪魔になっていた遊技釘８０の突出部分を少なくすることができ、遊技釘８０が遊技盤２に植設されたままの状態においても、第２の板状部材５０の表面５０ａ側をブラシ１００（図１２（ｂ））等で清掃する作業、すなわち、遊技盤２を清掃する作業が容易となる。
【００７４】
以上、本発明の実施の形態を説明したが、これは本発明を具体的に例示したに過ぎず、特に本発明を限定するものではない。
【００７５】
例えば、本実施の形態においては、陥没穴４０ａの上部および下部に、係止板４３，４４がそれぞれ配置されており、第２の板状部材５０は、当該係止板４３，４４に係止されるようになっていたが、係止板の位置および数はこれに限られない。例えば、３つ以上の係止板が配置されるようになっていてもよいし、当該係止板が陥没穴４０ａの外部に配置されるようになっていてもよい。
【００７６】
また、本実施の形態における第２の板状部材５０は、溝カム４３ａａを有する係止板に係止される構造であったが、この係止構造に限られず、例えば、マグネットにより係止される構造であってもよい。
【００７７】
さらに、本実施の形態においては、第１の板状部材４０に、第２の板状部材５０を係止させるための係止板（係止部）４３，４４が配置されていたが、これに限られず、当該係止板４３，４４は、第２の板状部材５０に配置されるようになっていてもよい。この場合、第１の板状部材４０が、第２の板状部材５０に係止される。
【００７８】
以上説明したように、本実施の形態によれば、遊技釘８０は、頭部８２が第２の板状部材５０における第１の板状部材４０と反対側に突出するとともに、胴部８１が第２の板状部材５０の貫通孔５１を貫通して第１の板状部材４０に植設されるようになっているので、たとえば、第２の板状部材５０を、第１の板状部材４０とは反対方向に移動させることによって、第２の板状部材５０を介して第１の板状部材４０に植設された遊技釘８０のうち、第２の板状部材５０から突出する部分を少なくすることができる。
【００７９】
これによれば、遊技盤２を清掃する際に邪魔になっていた遊技釘８０の突出部分を少なくすることができるので、遊技釘８０が遊技盤２に植設されたままの状態においても、第２の板状部材５０の表面５０ａ側を清掃する作業、すなわち、遊技盤２を清掃する作業が容易となる。
【００８０】
また、第２の板状部材５０における貫通孔５１は、遊技釘８０の頭部８２の径よりも小さな径であるため、当該頭部８２によって第２の板状部材５０の移動が規制される。これにより、第２の板状部材５０を、第１の板状部材４０とは反対方向に移動させた場合において、当該第２の板状部材５０が、遊技釘８０から外れてしまう虞を防ぐことができる。
【００８１】
また、本実施の形態によれば、第２の板状部材５０は、遊技釘８０の頭部８２と当接する位置にまで第１の板状部材４０と離反可能であるため、当該第２の板状部材４０を、遊技釘８０の頭部８２まで、すなわち、遊技釘８０の突出部分がギリギリまで減少する位置まで移動させることが可能となる。
【００８２】
これによれば、遊技盤２を清掃する際に邪魔になっていた遊技釘８０の突出部分をより少なくすることができるので、遊技釘８０が遊技盤２に植設されたままの状態においても、第２の板状部材５０の表面５０ａ側を清掃する作業、すなわち、遊技盤２を清掃する作業がより容易となる。
【００８３】
さらに、本実施の形態によれば、第２の板状部材５０は、ガイドレール６に区画された遊技領域２ａ内に配置されているので、第１の板状部材４０の表面側全域を覆うように配置されている場合に比べて、清掃する面積を少なくすることができ、第２の板状部材５０の清掃をより容易に行うことができる。
【００８４】
また、清掃される第２の板状部材５０は、汚れが付着し易い遊技領域２ａ内に配置されているので、当該第２の板状部材５０を清掃することで、汚れが付着し易い遊技領域２ａ内を効率的に清掃することが可能となる。
【００８５】
さらに、本発明によれば、第２の板状部材５０が、第１の板状部材４０の表面側全域を覆うように配置されている場合に必要な端部固定部材、すなわち、第１の板状部材４０の端部と第２の板状部材５０の端部とを固定する部材を備える必要がない。
【００８６】
これによれば、当該端部固定部材を配置するスペースを節約することができるとともに、遊技盤２の清掃の際に、当該端部固定部材の固定を解除することなく、第１の板状部材４０と第２の板状部材５０とを離反させることができるので、第２の板状部材５０の表面５０ａ側を清掃する作業、すなわち、遊技盤２を清掃する作業がより容易となる。
【００８７】
また、本実施の形態によれば、第２の板状部材５０は、係止板（係止部）４３の係止を解除するのみで、第１の板状部材４０と離反可能となるので、第１の板状部材４０と第２の板状部材５０とを離反させる作業がより容易となり、第２の板状部材５０の表面５０ａ側を清掃する作業、すなわち、遊技盤２を清掃する作業がより容易となる。
【００８８】
（実施の形態２）
【００８９】
本実施の形態のパチンコ遊技機１は、実施の形態１の機能の一部に変更を加え、以下に示す機能を有する。
【００９０】
本実施の形態における第２の板状部材６０は、第１の板状部材４０と第２の板状部材６０との係止を解除させた場合に遊技釘８０の頭部８２と当接する位置、すなわち、表面５０ａ側における貫通孔５１の周囲に、当該頭部８２を収容可能な凹部１１０が形成されている（図１３（ａ）参照）。
【００９１】
このような本実施の形態によれば、第２の板状部材６０には、遊技釘８０の頭部８２が当接する位置に、当該頭部８２を収容可能な凹部１１０が形成されているので、当該第２の板状部材６０を、第１の板状部材４０との係止を解除させて遊技釘８０の頭部８２に当接するまで移動させた場合、遊技釘８０の頭部８２が当該凹部１１０に収容される（図１３（ｂ）参照）。
【００９２】
これによれば、遊技釘８０の突出部分をほぼ無くすことができるので、遊技釘８０が遊技盤２０に植設されたままの状態においても、第２の板状部材６０の表面５０ａ側をブラシ１００（図１３（ｃ））等で清掃する作業、すなわち、遊技盤２０を清掃する作業がより容易となる。
【産業上の利用可能性】
【００９３】
以上の説明においては、本発明をパチンコ遊技機本体が遊技台に取り付けられた遊技機に適用した場合が説明されているが、本発明はこれに限定されるものではなく、パチスロ機、雀球、スマートボールあるいはゲームセンターに設置された各種ゲーム機など、種々の遊技機に適用することが可能である。
【図面の簡単な説明】
【００９４】
【図１】実施の形態１に係る遊技機を示す斜視図である。
【図２】図１に示した遊技機の分解斜視図である。
【図３】図２に示した遊技盤の拡大斜視図である。
【図４】図３に示した遊技盤から遊技部材を取り除いた状態を示す拡大斜視図である。
【図５】第１の板状部材および第２の板状部材からなる遊技盤の分解斜視図である。
【図６】第１の板状部材と第２の板状部材との係止態様を示す斜視説明図である。
【図７】第２の板状部材を第１の板状部材に係止させる順序の前段を図４に示す遊技盤のＡ−Ａ方向から示す断面図である。
【図８】第２の板状部材を第１の板状部材に係止させる順序の後段を図４に示す遊技盤のＡ−Ａ方向から示す断面図である。
【図９】第１の板状部材に遊技釘を植設させた状態を図４に示す遊技盤のＡ−Ａ方向から示す断面図である。
【図１０】第２の板状部材と第１の板状部材との係止を解除させる順序を図４に示す遊技盤のＡ−Ａ方向から示す断面図である。
【図１１】第１の板状部材に遊技釘を植設させる順序を図４に示す遊技盤のＢ−Ｂ方向から示す断面図である。
【図１２】第２の板状部材を第１の板状部材から離反させる順序を図４に示す遊技盤のＢ−Ｂ方向から示す断面図である。
【図１３】実施の形態２に係る第２の板状部材を第１の板状部材から離反させる順序を示す断面図である。
【符号の説明】
【００９５】
１  パチンコ遊技機（遊技機）
２，２０  遊技盤
２ａ  遊技領域
３  遊技機本体
３ａ  本体枠
３ａａ  開口
３ｂ  ベース枠
４  ガラス扉
４ａ  ガラス板
５  皿ユニット
５ａ  上皿
５ｂ  下皿
６  ガイドレール
７  発射ハンドル
８  シャッタレバー
８ａ，８ｂ  スピーカ
１０  スペーサ
１０ａ  貫通孔
１２  一般入賞装置
１４  始動入賞装置
１５  大入賞装置
１６  アウト口
１３，１７  誘導部材
２１  液晶表示装置
２１ａ  表示領域
２６  電飾ユニット
４０  第１の板状部材
４０ａ  陥没穴
４１  植設穴
４３，４４  係止板（係止部）
４３ａ  表面
４３ａａ  溝カム
５０，６０  第２の板状部材
５０ａ  表面
５０ｂ  裏面
５１  貫通孔
５３  ばねピン
５３ａ  突起
５３ｂ  ばね部
５４  載置台
８０  遊技釘
８１  胴部
８２  頭部
１００  ブラシ
１１０  凹部
【図１】
2008043410.tif 000003
【図２】
2008043410.tif 000004
【図３】
2008043410.tif 000005
【図４】
2008043410.tif 000006
【図５】
2008043410.tif 000007
【図６】
2008043410.tif 000008
【図７】
2008043410.tif 000009
【図８】
2008043410.tif 000010
【図９】
2008043410.tif 000011
【図１０】
2008043410.tif 000012
【図１１】
2008043410.tif 000013
【図１２】
2008043410.tif 000014
【図１３】
2008043410.tif 000015